(57)【要約】【課題】  商品の安全管理や配送管理を確実且つ迅速に行うための改竄防止シール及び該改竄防止シールを用いた配送管理システムを得る。【解決手段】  表面シールを剥がすことにより商品情報を特定するためのバーコードが破損するバーコード付き改竄防止シールを、個別商品又は多数の商品を詰めた通い箱の蓋の封印部に貼付する。また、配送元において当該個別商品又は通い箱の蓋の封印部に貼付されたバーコード付き改竄防止シールのバーコードを読み取りコンピュータに入力する手段と、配送先において当該個別商品又は通い箱の蓋の封印部に貼付されたバーコード付き改竄防止シールのバーコードを読み取りコンピュータに入力する手段を備え、前記配送元におけるバーコード情報と配送先におけるバーコード情報をネットワークを介して伝送する手段により、配送元又は管理センターにて商品の安全管理や配送管理を一元的に行う。【選択図】        図１
2006001735.tif 000002
【特許請求の範囲】
【請求項１】
表面シールを剥がすことにより商品情報を特定するためのバーコードが破損するバーコード付き改竄防止シールを、個別商品又は多数の商品を詰めた通い箱の蓋の封印部に貼付し、配送元において当該個別商品又は通い箱の蓋の封印部に貼付されたバーコード付き改竄防止シールのバーコードを読み取りコンピュータに入力する手段と、配送先において当該個別商品又は通い箱の蓋の封印部に貼付されたバーコード付き改竄防止シールのバーコードを読み取りコンピュータに入力する手段を備え、前記配送元におけるバーコード情報と配送先におけるバーコード情報をネットワークを介して伝送する手段により、配送元又は管理センターにて商品の安全管理や配送管理が一元的に行えることを特徴とした、バーコード付き改竄防止シール及び該シールを用いた配送管理システム。
【請求項２】
バーコードに代え、二次元コードとしたことを特徴とする、請求項１に記載のバーコード付き改竄防止シール及び該シールを用いた配送管理システム。
【発明の詳細な説明】
【技術分野】
【０００１】  本発明は、流通分野における商品の安全管理や配送管理を当該商品の商品情報を特定するバーコードが印刷された改竄防止シールを媒介して行うことができる、バーコード付き改竄防止シール及び該シールを用いた配送管理システムに関するものである。
【背景技術】
【０００２】  従来、例えばコンビニエンスストアやスーパー等における食品の流通分野において配送センターが各店舗から受注した商品を配送する場合、受注商品を各店舗毎に分類して専用の通い箱に詰めた後、当該配送センターより各店舗に向けてルート配送を行っている。【０００３】  上記各店舗が配送センターより配送された商品を受け取る場合、店舗の担当者又は責任者の立会いの下で配送員により商品の種類と数量の確認作業を行っている。配送員は、該確認作業終了後に受領印を受け取ることにより次の店舗に向けて更に配送を行うことになる。【０００４】  また、商品の中に異物や毒物を混入されたり商品が抜き取られるのを防止するための封印シールとして、改竄防止シール（テープ）がある。該改竄防止シールは、例えば菓子を詰めた箱やＣＤを入れたケース等の外装フィルムの封印部に貼付したものがある。【０００５】  該改竄防止シールは、例えば表面シールの裏面に接着層を介して印刷層を接着し、更に該印刷層の裏面に接着層を配設して構成した多層シールにおいて、印刷層と表面シールを接着する接着層に文字や図形等の形状で接着剤を塗布しない部分を形成しておくと、表面シールを剥がした時に前記文字や図形等の形状が表面シールより剥がれて台紙側に残り文字や図形等が表れるため、該商品の改竄防止シールが剥がされて外装フィルムが開封されたことが判断できるものであり、特開平０８−１３７３９６号公報の「偽造防止用シール」や特開平１０−１１６０３１号公報の「不正防止シール」等に上記の様な改竄防止シールの実施例が開示されている。
【特許文献１】特開平０８−１３７３９６号公報
【特許文献２】特開平１０−１１６０３１号公報
【発明の開示】
【発明が解決しようとする課題】
【０００６】  上記食品の流通分野において配送センターが各店舗から受注した商品を配送する場合、配送途中において当事者又は第三者により商品の中に異物や毒物を混入されたり商品が抜き取られるという危険性があった。また、各店舗で商品の確認作業を行う必要があり、商品の抜き取りや配送センターでの分類ミスがあった場合等においては商品の数量が合わないために確認作業が手間取り、迅速な配送ができなくなるという問題点があった。【０００７】  本発明は、上記問題点を解決するために成されたものであり、流通分野における商品の安全管理や配送管理を確実且つ迅速に行うための改竄防止シール及び該改竄防止シールを用いた配送管理システムを提供することを目的とする。
【課題を解決するための手段】
【０００８】  上記課題を解決するため、本発明のバーコード付き改竄防止シール及び該シールを用いた配送管理システムにおいては、表面シールを剥がすことにより商品情報を特定するためのバーコードが破損するバーコード付き改竄防止シールを、個別商品又は多数の商品を詰めた通い箱の蓋の封印部に貼付する。また、配送元において当該個別商品又は通い箱の蓋の封印部に貼付されたバーコード付き改竄防止シールのバーコードを読み取りコンピュータに入力する手段と、配送先において当該個別商品又は通い箱の蓋の封印部に貼付されたバーコード付き改竄防止シールのバーコードを読み取りコンピュータに入力する手段を備え、前記配送元におけるバーコード情報と配送先におけるバーコード情報をネットワークを介して伝送する手段により、配送元又は管理センターにて商品の安全管理や配送管理を一元的に行う。
【発明の効果】
【０００９】  本発明のバーコード付き改竄防止シール及び該シールを用いた配送管理システムを、コンビニエンスストアやスーパー等における食品の流通分野において使用すれば、個別商品又は通い箱の蓋の封印部に貼付されたバーコード付き改竄防止シールのバーコードを読み取ることにより、配送元における出荷管理や配送先における受入管理等が確実且つ迅速に行え、更にはネットワークを介して情報伝達することにより、配送元又は管理センターにて商品の安全管理や配送管理が一元的に行えるという効果を奏する。また、配送途中において当事者又は第三者により商品の中に異物や毒物を混入されたり商品が抜き取られた危険性がある場合には、バーコード付き改竄防止シールの表面シールが剥がされた時にバーコードが破損して正常に読み取れなくなることにより商品が改竄されたことを示唆するため、安全管理が確実に行えるという効果も奏する。
【発明を実施するための最良の形態】
【００１０】  本発明を実施するための最良の形態を図を用いて説明する。図１は本発明のバーコード付き改竄防止シールの一実施例における外形図であり、（ａ）は商品情報とバーコードが印刷された改竄防止シールを表し、（ｂ）は商品情報と二次元コードが印刷された改竄防止シールを表し、（ｃ）は該バーコード付き改竄防止シールの側面構造図を表している。【００１１】  図１の（ａ）及び（ｃ）に示すように、商品情報５とバーコード４ａを印刷したバーコード付き改竄防止シール１は、表面シール２の裏面において商品名や配送ルート及び会社名等の商品情報５と当該商品情報５を特定するためのバーコード４ａを印刷した印刷層３を接着力の弱い接着層６により接着し、更に該印刷層３の裏面に接着力の強い接着層７を配設して構成する。また、前記バーコード４ａは、表面シール２を剥がした時に脆性破壊して印刷層３より剥離し、カケ（ボイド）やシミ（スポット）が無数に発生して表示が不鮮明になる構造とする。【００１２】  上記バーコード４ａは、ＪＡＮコードやＩＴＦなどあらゆるバーコードに対応するものである。【００１３】  また、図１の（ｂ）及び（ｃ）に示すように、商品情報５と二次元コード４ｂを印刷したバーコード付き改竄防止シール１は、表面シール２の裏面において商品名や配送ルート及び会社名等の商品情報５と当該商品情報５を特定するための二次元コード４ｂを印刷した印刷層３を接着力の弱い接着層６により接着し、更に該印刷層３の裏面に接着力の強い接着層７を配設して構成する。また、前記二次元コード４ｂは、表面シール２を剥がした時に脆性破壊して印刷層３より剥離し、カケ（ボイド）やシミ（スポット）が無数に発生して表示が不鮮明になる構造とする。【００１４】  上記二次元コード４ｂは、ＱＲコードやＤａｔａＭａｔｒｉｘなどあらゆる二次元コードに対応するものである。【００１５】  上記バーコード付き改竄防止シール１の構造は一実施例であり、本発明の目的とするところの表面シール２を剥がした時に商品情報を特定するためのバーコード４ａ又は二次元コード４ｂが破損し又は他の手段により、表示が不鮮明になる構造であれば如何なる構造であっても構わない。【００１６】  図３は本発明のバーコード付き改竄防止シールを通い箱の蓋の封印部に貼付した時の状態図であり、バーコード付き改竄防止シール１を、個別商品又は多数の商品を詰めた通い箱８の蓋９の封印部に貼付する。図３における通い箱８は一般的なダンボール箱の形状をしており、蓋９，９が通い箱８の両側部より内側に閉じる形状のため、その封印部に上記バーコード付き改竄防止シール１を貼付する。この時、バーコード４が封印部の継目上を跨ぐように貼付することが重要である。【００１７】  図２は本発明のバーコード付き改竄防止シールを剥がした時の状態図であり、バーコード付き改竄防止シール１を上記の様な構造にすることにより、バーコード付き改竄防止シール１の表面シール２を剥がした時にバーコード４ａ又は二次元コード４ｂの表示が不鮮明になるため、バーコード４を読み取ることが不可能となる。【００１８】  また、配送元において当該個別商品又は通い箱８の蓋９の封印部に貼付されたバーコード付き改竄防止シール１のバーコード４を読み取りコンピュータに入力する手段と、配送先において当該個別商品又は通い箱８の蓋９の封印部に貼付されたバーコード付き改竄防止シール１のバーコード４を読み取りコンピュータに入力する手段を配設する。該手段として、バーコード４ａの場合はバーコードリーダーとし、二次元コード４ｂの場合は二次元コードリーダーとする。そして、前記配送元におけるバーコード情報と配送先におけるバーコード情報をネットワークを介して伝送し、配送元又は管理センターにて商品の安全管理や配送管理を一元的に行う。該ネットワークは電話網やインターネットが好ましいが、特に限定するものではない。
【実施例】
【００１９】  本発明の実施例を図を用いて説明する。図４は本発明のバーコード付き改竄防止シール及び該シールを用いた配送管理システムのシステム構成図例である。【００２０】  まず、配送センター１０が店舗１１より商品を受注した場合、受注商品を専用の通い箱８に詰めた後、蓋９の封印部にバーコード付き改竄防止シール１を貼付する。該バーコード付き改竄防止シール１には商品情報を特定するためのバーコード４が印刷され、更には商品名，配送ルート，会社名等も印刷されている。また、前記バーコード４には、商品名とその数量，配送ルート，会社名，配送員名，配送時間等の内容を特定するための管理番号が含まれている。【００２１】  上記通い箱８の配送時において、配送センター１０では当該通い箱８の蓋９の封印部に貼付されたバーコード付き改竄防止シール１のバーコード４をバーコードリーダー１２にて読み取り、無線又は有線にてコンピュータ１３に入力する。該バーコード情報は、コンピュータ１３がサーバーの場合には当該コンピュータ１３にデータベースを作成して情報管理を行い、パソコンの場合にはネットワーク１７を介して管理センター１８にバーコード情報を伝送し、該管理センター１８内のサーバーにデータベースを作成して情報管理を行うようにする。バーコードリーダー１２によるバーコード４の読み取り終了後、配送員は通い箱８を一括して配送車１４に積み込み、店舗１１に向けてルート配送を行う。【００２２】  次に、店舗１１が配送センター１０から配送された商品を受け取る場合、店舗１１の担当者又は責任者が通い箱８の蓋９の封印部に貼付されたバーコード付き改竄防止シール１の商品情報５を目視確認すると共に、バーコード４をバーコードリーダー１５にて読み取り、無線又は有線にてコンピュータ１６に入力する。該バーコード情報は、コンピュータ１６のモニタに表示されると共に、ネットワーク１７を介し、配送センター１０のコンピュータ１３がサーバーの場合には当該コンピュータ１３に伝送され、パソコンの場合には管理センター１８内のサーバーに伝送される。【００２３】  上記商品の受け取り時において、通い箱８の蓋９が開けられていない場合即ちバーコード付き改竄防止シール１の表面シール２が剥がされていない場合にはバーコード４はバーコードリーダー１５で正常に読み取れるため、店舗１１の担当者又は責任者がコンピュータ１６のモニタに表示されたバーコード情報を確認するだけで受け取りは終了することになる。しかし、開けられた場合即ちバーコード付き改竄防止シール１の表面シール２が剥がされた場合にはバーコード４が破損して不鮮明となり読み取れなくなるため、商品の中に異物や毒物を混入されたり商品が抜き取られた危険性がある。配送員は、この場合にのみ商品の種類と数量及び安全性の確認作業を行い、該確認作業終了後に受領印を受け取ることにより次の店舗に向けて更に配送を行うことになる。【００２４】  しかし、上記の様な状況は殆ど発生することがなく、通常はバーコードリーダー１５によるバーコード情報の確認だけで受け取りが終了するため、商品の安全管理や配送管理が確実且つ迅速に行えることになる。【００２５】  なお、上記説明では多数の商品を詰めた通い箱８の���９の封印部にバーコード付き改竄防止シール１を貼付して配送する例を示したが、個別商品でも同様である。また、バーコード付き改竄防止シール１の表面シール２を剥がした時に商品情報５も破損して不鮮明となり読み取り難くなるようにしても構わない。
【産業上の利用可能性】
【００２６】  上記実施例においては、コンビニエンスストアやスーパー等における食品の流通分野を例にして説明したが、本発明のバーコード付き改竄防止シールは如何なる商品に貼付することも可能であり、従って如何なる流通分野の安全管理や配送管理システムとして使用しても構わないものである。
【図面の簡単な説明】
【００２７】
【図１】本発明のバーコード付き改竄防止シールの一実施例における外形図である。
【図２】本発明のバーコード付き改竄防止シールを剥がした時の状態図である。
【図３】本発明のバーコード付き改竄防止シールを通い箱の蓋の封印部に貼付した時の状態図である。
【図４】本発明のバーコード付き改竄防止シール及び該シールを用いた配送管理システムのシステム構成図例である。
【符号の説明】
【００２８】１  バーコード付き改竄防止シール
２  表面シール
３  印刷層
４  バーコード
５  商品情報
６  接着層
７  接着層
８  通い箱
９  蓋
１０  配送センター
１１  店舗
１２  バーコードリーダー
１３  コンピュータ
１４  配送車
１５  バーコードリーダー
１６  コンピュータ
１７  ネットワーク
１８  管理センター
【図１】
2006001735.tif 000003
【図２】
2006001735.tif 000004
【図３】
2006001735.tif 000005
【図４】
2006001735.tif 000006